(57)【要約】【課題】安価な光拡散フィルムの波打ちが発生するのを確実に防止して照度分布を均一にすることができる原稿照明装置、画像読取装置および画像形成装置を提供すること。【解決手段】原稿照明部が、ＬＥＤユニットおよび反射部を保持する遮蔽部材およびカバー部材と、遮蔽部材およびカバー部材とに設けられ、遮蔽部材およびカバー部材とＬＥＤユニットおよび反射部が収納された第１の空間が画成されるように、ＬＥＤユニットと照射領域とを隔離する光拡散フィルム７４を着脱自在に保持する光拡散フィルム保持部とを備え、光拡散フィルム保持部の光拡散ブラケット７１が、光拡散フィルム７４が当接されることにより光拡散フィルム７４の位置決めを行う貫通面７７を有し、光拡散フィルム７４の主走査方向両端部を回転部材７９、８０の貫通面７７に形成された溝部７７ａ、７７ｂに押圧する。【選択図】図６
2010191180.tif 000002
【特許請求の範囲】
【請求項１】
筐体と、前記筐体に着脱自在に設けられ、光源および前記光源からの光を原稿の照射領域に照射する反射部を備えた照明手段と、前記筐体に設けられ、原稿から反射された光を読み取る読取手段とを含んで構成される一体型走査光学ユニットを備え、
前記一体型走査光学ユニットを原稿の副走査方向に移動させることにより、原稿を読み取るようにした原稿照明装置において、
前記照明手段が、
前記光源および反射部を保持する保持部材と、前記保持部材に設けられ、前記保持部材内に前記光源および前記反射部が収納された空間が画成されるように、前記光源と前記原稿の照射領域とを隔離する光拡散フィルムを着脱自在に保持する光拡散フィルム保持部とを備え、
前記光拡散フィルム保持部が、
主走査方向に亘って延在して前記光拡散フィルムの表面外周部に当接し、前記光源に対する前記光拡散フィルムの位置決めを行う平面を有する位置決め部と、前記位置決め部の主走査方向両端部に形成され、前記位置決め部の平面に対して窪んだ形状を有する溝部と、前記光拡散フィルムを挟んで前記溝部に対向する回転部材を回転自在に保持する回転部材保持部とを備え、
前記回転部材によって前記光拡散フィルムの主走査方向両端部を前記溝部に押圧することを特徴とする原稿照明装置。
【請求項２】
前記回転部材が、略円筒形状を有し、外周面に軸線方向に沿って延在する複数の溝を有することを特徴とする請求項１に記載の原稿照明装置。
【請求項３】
前記回転部材の溝が形成されていない外周面に弾性部材が設けられていることを特徴とする請求項２に記載の原稿照明装置。
【請求項４】
前記回転部材が、略円筒形状を有し、外周面に軸線方向に沿って延在する複数の突起を有することを特徴とする請求項１に記載の原稿照明装置。
【請求項５】
前記突起の外周面に弾性部材が設けられることを特徴とする請求項４に記載の原稿照明装置。
【請求項６】
前記突起が弾性部材から構成されることを特徴とする請求項４に記載の原稿照明装置。
【請求項７】
請求項１ないし請求項６のいずれか１項に記載の原稿照明装置を備えた画像読取装置であって、
前記原稿照明装置を副走査方向に移動させる駆動手段を備えたことを特徴とする画像読取装置。
【請求項８】
請求項７に記載の画像読取装置を備えた画像形成装置であって、
前記読取手段によって読み取った画像を記録媒体上に形成する画像形成手段を有することを特徴とする画像形成装置。
【発明の詳細な説明】
【技術分野】
【０００１】
本発明は、原稿照明装置、画像読取装置および画像形成装置に関し、例えば、複写機、ファクシミリ装置、イメージスキャナ等に使用される画像読取装置およびこの画像読取装置を備えた画像形成装置に関する。
【背景技術】
【０００２】
従来、イメージスキャナ等の画像読取装置では、コンタクトガラス上に位置して読取対象物となる原稿面に向けて光を出射する光源を有し、原稿面で反射された後に読取光軸に沿って進行する読取光を結像レンズを介してＣＣＤ（Ｃｈａｒｇｅ Ｃｏｕｐｌｅｄ Ｄｅｖｉｃｅ）等の画像読取部に結像し、原稿画像を読み取っている。
【０００３】
このような画像読取装置の光源としては、蛍光灯やキセノンランプ等の棒状光源、あるいはＬＥＤ等の点光源が使用されている。特に、ＬＥＤは、光源の立ち上がりスピードの高速化、長寿命、省エネルギー等の要望からキセノンランプの代用として採用されることが多くなっている。
【０００４】
光源としてＬＥＤ等の点光源を使用する場合には、複数の点光源を主走査方向（読取ライン方向）に直線状に配列する構成をとるため、各点光源から出射された光を原稿面などの読取面に直接照射すると、主走査方向において照度リップル（照度分布のムラ）が生じ、読み取った画像データに応じて画像形成した場合に照度リップルが原因となる画像濃度ムラが発生する。
【０００５】
このような照射リップルが生じるのを防止するために、ＬＥＤと原稿面との間に光拡散部材を設置し、ＬＥＤから出射された光を光拡散部材によって拡散することにより、照明リップルを抑制して照度分布を均一にするようにしたものがある。
【０００６】
また、この光拡散部材は、０．３ｍｍ程度の微小なＬＥＤから照射される微細な光から目を保護するために、ＬＥＤと原稿面との間に設置することで光を擬似的な大きさにする目的で使用されることもある。
【０００７】
従来のこの種の光拡散部材としては、ポリエチレンテレフタレート（ＰＥＴ）のフィルム状シートで厚さ０．００２〜０．０１ｍｍ、表面にブラスト加工（砂等を強くぶつけて表面に小さな凸凹を形成する加工）を施した光拡散フィルム（例えば、特許文献１参照）や、表面に凹凸が加工した板ガラスからなる光拡散ガラス（例えば、特許文献２参照）等が知られている。
【発明の概要】
【発明が解決しようとする課題】
【０００８】
しかしながら、特許文献１に示す薄膜状の光拡散フィルムにあっては、安価に得ることができる反面、光拡散フィルムを画像読取装置に組み付けたときに光拡散フィルムに皺や弛みが発生してしまい、ＬＥＤから出射された光を拡散したときに照度分布が不均一となってしまうという問題があった。
【０００９】
これに対して、特許文献２に示す光拡散ガラスにあっては、皺や弛みが発生するのを防止することができるが、光拡散ガラスが、表面に凹凸が加工した板ガラスから構成されるため、製造コストが増大してしまうという問題があった。
【００１０】
また、光拡散フィルムの波打ちが生じないように光拡散フィルムを開口部を有するフレームと導光体との間に挟み込むようにするものがあるが（例えば、特許文献３参照）、これだけでは、波打ちが発生するのを確実に防止することができない。
【００１１】
本発明はこのような課題を解決するためになされたもので、安価な光拡散フィルムの波打ちが発生するのを確実に防止して照度分布を均一にすることができる原稿照明装置、画像読取装置および画像形成装置を提供することである。
【課題を解決するための手段】
【００１２】
本発明の原稿照明装置は、上記目的を達成するため、筐体と、前記筐体に着脱自在に設けられ、光源および前記光源からの光を原稿の照射領域に照射する反射部を備えた照明手段と、前記筐体に設けられ、原稿から反射された光を読み取る読取手段とを含んで構成される一体型走査光学ユニットを備え、前記一体型走査光学ユニットを原稿の副走査方向に移動させることにより、原稿を読み取るようにした原稿照明装置において、前記照明手段が、前記光源および反射部を保持する保持部材と、前記保持部材に設けられ、前記保持部材内に前記光源および前記反射部が収納された空間が画成されるように、前記光源と前記原稿の照射領域とを隔離する光拡散フィルムを着脱自在に保持する光拡散フィルム保持部とを備え、前記光拡散フィルム保持部が、主走査方向に亘って延在して前記光拡散フィルムの表面外周部に当接し、前記光源に対する前記光拡散フィルムの位置決めを行う平面を有する位置決め部と、前記位置決め部の主走査方向両端部に形成され、前記位置決め部の平面に対して窪んだ形状を有する溝部と、前記光拡散フィルムを挟んで前記溝部に対向する回転部材を回転自在に保持する回転部材保持部とを備え、前記回転部材によって前記光拡散フィルムの主走査方向両端部を前記溝部に押圧するものから構成されている。
【００１３】
この構成により、照明手段に光拡散フィルム保持部を設け、この光拡散フィルム保持部が、主走査方向に亘って延在して光拡散フィルムに当接し、光源に対する光拡散フィルムの位置決めを行う平面を有する位置決め部と、位置決め部の主走査方向両端部に形成され、位置決め部の平面に対して窪んだ形状を有する溝部と、光拡散フィルムを挟んで溝部に対向する回転部材を回転自在に保持する回転部材保持部とを備え、回転部材によって光拡散フィルムの主走査方向両端部を溝部に押圧するようになっているので、光拡散フィルムの主走査方向両端部を溝部に押圧する回転部材を所定方向に回転させ、回転部材と光拡散フィルムの摩擦抵抗によって光拡散フィルムを主走査方向外方に引っ張ることにより、光拡散フィルムに張力を与えて光拡散フィルムに皺や弛みが発生するのを防止することができる。
【００１４】
また、光拡散フィルムに皺や弛みが発生するのを防止することができるので、光拡散フィルムを光拡散フィルム保持部に保持したときに、光拡散フィルムを平面状の位置決め部に隙間無く当接させて光拡散フィルムを光源に対して位置決めすることができる。
この結果、安価な光拡散フィルムを用いて光源から照射された光の照度分布を均一にすることができる。
【００１５】
また、本発明の原稿照明装置は、前記回転部材が、略円筒形状を有し、外周面に軸線方向に沿って延在する複数の溝を有するものから構成される。
【００１６】
この構成により、溝が形成されていない回転部材の外周面のみを光拡散フィルムに接触させることができ、光拡散フィルムと溝が形成されていない回転部材の外周面の圧力を高めて、光拡散フィルムに対する回転部材の摩擦抵抗を大きくすることができる。このため、回転部材を回転させることにより、光拡散フィルムを主走査方向外側に確実に引っ張ることができ、光拡散フィルムに張力を与えて光拡散フィルムに皺や弛みが発生するのを防止することができる。
【００１７】
また、本発明の原稿照明装置は、前記回転部材の溝が形成されていない外周面に弾性部材が設けられているものから構成されている。
【００１８】
この構成により、弾性部材の弾性力によって光拡散フィルムを押圧して光拡散フィルムと溝が形成されていない回転部材の外周面の圧力をより一層高めることができ、光拡散フィルムに対する回転部材の摩擦抵抗を大きくすることができる。
【００１９】
このため、回転部材を回転させることにより、光拡散フィルムを主走査方向外側に確実に引っ張ることができ、光拡散フィルムに張力を与えて光拡散フィルムに皺や弛みが発生するのを防止することができる。
【００２０】
また、本発明の原稿照明装置は、前記回転部材が、略円筒形状を有し、外周面に軸線方向に沿って延在する複数の突起を有するものから構成されている。
この構成により、回転部材の突起のみを光拡散フィルムに接触させることができ、光拡散フィルムと回転部材の突起部の圧力を高めて、光拡散フィルムに対する回転部材の摩擦抵抗を大きくすることができる。このため、回転部材を回転させることにより、光拡散フィルムを主走査方向外側に確実に引っ張ることができ、光拡散フィルムに張力を与えて光拡散フィルムに皺や弛みが発生するのを防止することができる。
【００２１】
また、本発明の原稿照明装置は、前記突起の外周面に弾性部材が設けられるものから構成されている。
この構成により、弾性部材の弾性力によって光拡散フィルムを押圧して光拡散フィルムと回転部材の突起部の圧力をより一層高めることができ、光拡散フィルムに対する回転部材の摩擦抵抗を大きくすることができる。このため、回転部材を回転させることにより、光拡散フィルムを主走査方向外側に確実に引っ張ることができ、光拡散フィルムに張力を与えて光拡散フィルムに皺や弛みが発生するのを防止することができる。
【００２２】
また、本発明の原稿照明装置は、前記突起が弾性部材から構成されている。
この構成により、光拡散フィルムと回転部材の突起部の圧力をより一層高めることができ、光拡散フィルムに対する回転部材の摩擦抵抗を大きくすることができる。このため、回転部材を回転させることにより、光拡散フィルムを主走査方向外側に確実に引っ張ることができ、光拡散フィルムに張力を与えて光拡散フィルムに皺や弛みが発生するのを防止することができる。
【００２３】
また、本発明の画像読取装置は、上述した原稿照明装置を備えた画像読取装置であって、前記原稿照明装置を副走査方向に移動させる駆動手段を備えたものから構成されている。
この構成により、安価な光拡散フィルムの波打ちが発生するのを確実に防止して照度分布を均一にすることができる原稿照明装置を備えた画像読取装置を提供することができる。
【００２４】
また、本発明の画像形成装置は、上述した画像読取装置を備えた画像形成装置であって、前記画像読取装置によって読み取った画像を記録媒体上に形成する画像形成手段を有するものから構成されている。
この構成により、安価な光拡散フィルムの波打ちが発生するのを確実に防止して照度分布を均一にすることができる画像読取装置を備えた画像形成装置を提供することができる。
【発明の効果】
【００２５】
以上説明したように、安価な光拡散フィルムの波打ちが発生するのを確実に防止して照度分布を均一にすることができる原稿照明装置、画像読取装置および画像形成装置を提供することができる。
【図面の簡単な説明】
【００２６】
【図１】本発明に係る原稿照明装置、画像読取装置および画像形成装置の第１の実施の形態を示す図であり、カラー複写機の概略構成図である。
【図２】本発明に係る原稿照明装置、画像読取装置および画像形成装置の第１の実施の形態を示す図であり、画像読取装置の概略斜視図である。
【図３】本発明に係る原稿照明装置、画像読取装置および画像形成装置の第１の実施の形態を示す図であり、一体型走査光学ユニットの断面図である。
【図４】本発明に係る原稿照明装置、画像読取装置および画像形成装置の第１の実施の形態を示す図であり、ＬＥＤユニットの斜視図である。
【図５】本発明に係る原稿照明装置、画像読取装置および画像形成装置の第１の実施の形態を示す図であり、図７のＡ−Ａ方向矢視断面を示す光拡散フィルム保持部と光拡散ブラケットを保持する遮蔽部材およびカバー部材との要部断面図である。
【図６】本発明に係る原稿照明装置、画像読取装置および画像形成装置の第１の実施の形態を示す図であり、光拡散フィルムおよび回転部材が取り外された光拡散ブラケットの斜視図である。
【図７】本発明に係る原稿照明装置、画像読取装置および画像形成装置の第１の実施の形態を示す図であり、光拡散フィルムおよび回転部材が取付けられた光拡散ブラケットの斜視図である。
【図８】本発明に係る原稿照明装置、画像読取装置および画像形成装置の第１の実施の形態を示す図であり、回転部材の斜視図である。
【図９】本発明に係る原稿照明装置、画像読取装置および画像形成装置の第１の実施の形態を示す図であり、回転部材を回転させて光拡散部材の皺や弛みを除去する状態を示す図である。
【図１０】本発明に係る原稿照明装置、画像読取装置および画像形成装置の第２の実施の形態を示す図であり、回転部材の斜視図である。
【図１１】本発明に係る原稿照明装置、画像読取装置および画像形成装置の第２の実施の形態を示す図であり、回転部材を回転させて光拡散部材の皺や弛みを除去する状態を示す図である。
【図１２】本発明に係る原稿照明装置、画像読取装置および画像形成装置の第２の実施の形態を示す図であり、他の形状の回転部材の斜視図である。
【図１３】本発明に係る原稿照明装置、画像読取装置および画像形成装置の第２の実施の形態を示す図であり、他の形状の回転部材を回転させて光拡散部材の皺や弛みを除去する状態を示す図である。
【図１４】本発明に係る原稿照明装置、画像読取装置および画像形成装置の第３の実施の形態を示す図であり、回転部材の斜視図である。
【図１５】本発明に係る原稿照明装置、画像読取装置および画像形成装置の第３の実施の形態を示す図であり、回転部材を回転させて光拡散部材の皺や弛みを除去する状態を示す図である。
【図１６】本発明に係る原稿照明装置、画像読取装置および画像形成装置の第３の実施の形態を示す図であり、他の形状の回転部材の斜視図である。
【図１７】本発明に係る原稿照明装置、画像読取装置および画像形成装置の第３の実施の形態を示す図であり、他の形状の回転部材を回転させて光拡散部材の皺や弛みを除去する状態を示す図である。
【図１８】本発明に係る原稿照明装置、画像読取装置および画像形成装置の第４の実施の形態を示す図であり、画像読取装置の概略構成図である。
【発明を実施するための形態】
【００２７】
以下、本発明の実施の形態について、図面を用いて説明する。
（第１の実施の形態）
図１〜図９は、本発明に係る原稿照明装置、画像読取装置および画像形成装置の第１の実施の形態を示す図であり、本実施の形態では、カラー複写機に適用した例を示している。
【００２８】
なお、画像読取装置は、イメージスキャナに適用してもよく、画像形成装置としては、イメージスキャナを有する複写機やファクシミリ装置、複写機能とファクシミリ機能等を備えた複合機等に適用することができる。
【００２９】
まず、構成を説明する。
図１において、画像形成装置としてのカラー複写機１は、自動原稿搬送部（以下、ＡＤＦともいう）２と、給紙部３と、画像読取装置４と、画像形成部５とを含んで構成されている。
【００３０】
ＡＤＦ２は、原稿トレイ１１と、原稿トレイ１１に載置された原稿束から原稿を１枚ずつ分離してコンタクトガラス７に向かって搬送する各種ローラ等からなる給紙部１３とを備えている。
【００３１】
ＡＤＦ２は、給紙部１３によって分離された原稿をコンタクトガラス７上に搬送する搬送ベルト８を備えている。また、ＡＤＦ２は、各種ローラ等からなる排紙部９を備えており、コンタクトガラス７上の原稿が画像読取装置４によって読み取られると、搬送ベルト８によってコンタクトガラス７から排紙される原稿は、排紙部９によって原稿トレイ１１の下方の排紙トレイ１２に排紙されるようになっている。また、ＡＤＦ２は、画像読取装置４に対して図示しないヒンジ等の開閉機構を介して開閉自在に取付けられている。
【００３２】
給紙部３は、用紙サイズの異なる記録媒体としての記録紙を収納する給紙カセット２１、２２と、給紙カセット２１、２２に収納された記録紙を画像形成部５の画像形成位置まで搬送する各種ローラからなる給紙手段２３とを備えている。
【００３３】
画像読取装置４は、図２に示すように、画像読取装置４の筐体４ａ内に原稿照明装置としての一体型走査光学ユニット４０を備えており、この一体型走査光学ユニット４０は、後述するＬＥＤユニット４４から主走査方向（図２の矢印Ａ方向）に光を照射するとともに、画像読取装置４に備えられる図示しない駆動手段によって全照射領域Ｗ内において副走査方向（図１、図２の矢印Ｂ方向）に走査（移動）されることによって、原稿の２次元カラー画像を読み取るようになっている。また、コンタクトガラス７は、画像読取装置４の筐体４ａの上部に設けられており、筐体４ａの上面を構成している。
【００３４】
なお、駆動手段は、一体型走査光学ユニット４０に固定されたワイヤ、ワイヤに橋架される複数の従動プーリおよび駆動プーリと、駆動プーリを回転させるモータ等によって構成されるものであり、公知であるため、図示省略する。
【００３５】
画像形成部５は、画像形成手段を構成するものであり、露光装置３１と、複数の感光体ドラム３２と、各感光体ドラム３２の周囲に設置された異なる色（シアン（Ｃ）、イエロー（Ｙ）、マゼンタ（Ｍ）、ブラック（Ｂｋ））のトナーを有する現像装置３３と、転写ベルト３４と、定着装置３５とを備えている。
【００３６】
画像形成部５は、画像読取装置４によって読み取られて色別分解された画情報に基づいて複数の感光体ドラム３２に色分けして画像を形成し、給紙部３から供給された記録紙に感光体ドラム３２上のトナーを重ね合わせて転写した後、定着装置３５により記録紙に転写されたトナー画像のトナーを溶融して、記録紙にカラー画像を定着するようになっている。
また、カラー複写機１は、図示しない画像送受信装置によって読み取った画像を相手先の装置に送信する機能も備えている。
【００３７】
次に、図３〜図９に基づいて一体型走査光学ユニット４０の構成を説明する。
図３に示すように、一体型走査光学ユニット４０は、筐体４１と、筐体４１に着脱自在に設けられた遮蔽部材４２と、遮蔽部材４２に着脱自在に設けられ、遮蔽部材４２との間に原稿Ｐの照射領域Ｗ１にＬＥＤユニット４４から照射を行うための開口４３ａを有するカバー部材４３とを備えている。なお、筐体４１、遮蔽部材４２およびカバー部材４３は、それぞれ樹脂製である。
【００３８】
また、遮蔽部材４２とカバー部材４３には光源としてのＬＥＤユニット４４が取付けられており、このＬＥＤユニット４４は、図４に示すように、ＬＥＤ基板４５上に発光素子である複数（本実施の形態では７個）のＬＥＤパッケージ４６が主走査方向に略直線状に配置されたものから構成されている。このＬＥＤパッケージ４６内には０．３ｍｍ程度の微小なＬＥＤチップが複数個封止されている。
【００３９】
本実施の形態のＬＥＤパッケージ４６は、所謂、トップビュータイプと称されるものであり、出射面がＬＥＤ基板４５の実装面と直交する方向になっている。
このトップビュータイプのＬＥＤパッケージ４６は、発光強度分布に指向性を有し、出射光の強度分布は、出射角に対して発光面の直交方向を基準とするランバートの余弦則に倣う強度分布（ランバート分布と呼ぶ）を有している。なお、図３は、一体型走査光学ユニット４０の断面図であり、１つのＬＥＤパッケージ４６が示されている。
【００４０】
図３において、カバー部材４３の下面には反射部４７が設けられており、カバー部材４３に対向する遮蔽部材４２の上面には反射部４８、４９が設けられている。
すなわち、反射部４７は、カバー部材４３の下面である対向面（第１の対向面）４３ｂに設けられており、反射部４８、４９は、カバー部材４３の対向面４３ｂに対向する遮蔽部材４２の上面である対向面（第２の対向面）４２ａに設けられている。
【００４１】
また、ＬＥＤユニット４４は、遮蔽部材４２およびカバー部材４３の間で、ＬＥＤパッケージ４６からの出射光の中心光軸が略水平に向くような方向にＬＥＤ基板４５が配置されており、このＬＥＤ基板４５は、カバー部材４３の対向面４３ｂに設けられた位置決め用の溝５０と、遮蔽部材４２の対向面４２ａに設けられた光源位置決め部としての位置決め用の溝５１とその上下端部が嵌合されることにより、ＬＥＤパッケージ４６の位置が一義的に決定されている。
【００４２】
また、ＬＥＤユニット４４は、ＬＥＤ基板４５が溝５０、５１に嵌合されることにより、遮蔽部材４２およびカバー部材４３に挟持されることにより、遮蔽部材４２およびカバー部材４３に挟持され、ＬＥＤ基板４５が溝５０、５１から抜け出ることにより、遮蔽部材４２およびカバー部材４３から取り外されるようになっている。すなわち、ＬＥＤユニット４４は、遮蔽部材４２およびカバー部材４３に対して着脱自在となっている。
【００４３】
また、カバー部材４３は、外部から一体型走査光学ユニット４０に進入する外乱光を防ぐために設けられており、対向面４３ｂに設けられた反射部４７によってＬＥＤパッケージ４６から照射された光が反射部４９に導かれるようになっている。
【００４４】
本実施の形態の反射部４７〜４９は、遮蔽部材４２およびカバー部材４３の対向面４２ａ、４３ｂの形状に沿った反射面形状に成型された母材の表面にアルミ箔等の反射シートを接着することにより構成されている。
【００４５】
なお、反射部４７〜４９は、反射面が形成された母材の表面にアルミを蒸着することにより構成してもよく、また、反射面に反射材を練り込んだ塗装を施したものから構成してもよく、あるいは、反射材料によるメッキを施すことにより構成してもよい。
【００４６】
本実施の形態では、遮蔽部材４２およびカバー部材４３のそれぞれに設けられたＬＥＤ基板４５の位置決め用の溝５０、５１をコンタクトガラス７面に対して直角の方向になるように配置することができ、ＬＥＤ基板４５を垂直に保持することができる。このため、発光面をＬＥＤ基板４５と平行に配置されたＬＥＤパッケージ４６から出射した光の中心光軸を水平方向に指向させることができる。
【００４７】
このように発光面をＬＥＤパッケージ４６から出射した光の中心光軸を水平方向に指向させることができるため、ＬＥＤパッケージ４６から出射された照明光は、ある角度で広がりながら略水平方向に進行する。
【００４８】
また、本実施の形態では、遮蔽部材４２およびカバー部材４３の間には光拡散フィルム保持部の光拡散ブラケット７１が設けられており、図５に示すように光拡散ブラケット７１の下端部は、遮蔽部材４２の対向面４２ａに形成された溝７２に嵌合されているとともに、光拡散ブラケット７１の上端部はカバー部材４３の端部に形成された段差部７３に係合している。
【００４９】
本実施の形態では、遮蔽部材４２およびカバー部材４３がＬＥＤユニット４４および反射部４７〜４９を保持する保持部材を構成しており、光拡散ブラケット７１は、遮蔽部材４２およびカバー部材４３内にＬＥＤユニット４４および反射部４７、４８が収納された第１の空間５７が形成されるように、ＬＥＤユニット４４および反射部４７、４８と照射領域Ｗ１とを隔離する光拡散フィルム７４を着脱自在に保持するようになっている。
【００５０】
この光拡散フィルム７４は、薄いフィルム状のＰＥＴ樹脂（ポリエチレンテレフタレート）の表面を加工（例えば、エンボス加工）したものや、ＰＥＴ樹脂にプラステックビーズ拡散材のコーティングをしているものから構成されている。
【００５１】
次に、図５〜図９に基づいて光拡散ブラケット保持部の構成を説明する。
図５において、光拡散ブラケット保持部は、樹脂製の光拡散ブラケット７１を備えており、この光拡散ブラケット７１は、遮蔽部材４２およびカバー部材４３に着脱自在となっている。
【００５２】
また、光拡散ブラケット７１には反射光の通過方向（副走査方向）に開口する開口窓７５が形成されているとともに、光拡散ブラケット７１には開口窓７５の開口方向と略直交する方向に光拡散ブラケット７１を貫通する貫通部７６が形成されており、この貫通部７６は、開口窓７５の開口方向に対向する貫通面７７、７８を有している（図９参照）。
【００５３】
図７に示すように、一方の貫通面７７には主走査方向に亘って延在して光拡散フィルム７４の表面外周部が当接するようになっており、この貫通面７７は、ＬＥＤユニット４４に対する光拡散フィルム７４の位置や傾き等の位置決めを行う平面形状を有している。なお、本実施の形態では、貫通面７７が位置決め部を構成している。
【００５４】
また、貫通面７７の主走査方向両端部には溝部７７ａ、７７ｂが形成されており、この溝部７７ａ、７７ｂは、貫通面７７の平面に対してＬＥＤユニット４４側に窪んだ形状を有し、光拡散ブラケット７１の短手方向に沿って延在している。なお、光拡散フィルム７４を他方の貫通面７８に当接させるとともに、貫通面７８に溝部を形成するようにしてもよい。いずれにしても貫通面７７、７８に光拡散フィルム７４の表面外周部を当接させることにより、ＬＥＤユニット４４に対する光拡散フィルム７４の位置決めを行うことができればよい。
【００５５】
また、光拡散ブラケット保持部は、略円筒形状の樹脂製の回転部材７９、８０を備えており、この回転部材７９、８０は、光拡散フィルム７４を挟んで溝部７７ａ、７７ｂに対向している。
また、回転部材７９、８０は、開口窓７５に対して主走査方向外方の貫通面７８および貫通面７７の溝部７７ａ、７７ｂに回転自在に支持されている。したがって、回転部材７９、８０の外周部の一部が貫通面７７ａ、７７ｂに嵌合されることにより、回転部材７９、８０が主走査方向に位置決めされている。本実施の形態では、貫通面７８および貫通面７７の溝部７７ａ、７７ｂが回転部材保持部を構成しており、回転部材７９、８０によって光拡散フィルム７４の主走査方向両端部が溝部７７ａ、７７ｂに押圧される。
【００５６】
また、図５、図７、図８に示すように回転部材７９、８０の軸方向両端には挿通溝７９ａ、７９ｂ、８０ａ、８０ｂが形成されており、この挿通溝７９ａ、７９ｂ、８０ａ、８０ｂ（図７では挿通溝７９ａ、８０ａのみ図示）にはドライバー等の工具が挿通されるようになっている。なお、本実施の形態では、挿通溝７９ａ、７９ｂ、８０ａ、８０ｂは、マイナスドライバーが挿通されるように一文字のスリット状に形成されているが、挿通溝の形状は、プラスドライバー、六角レンチ、あるいは特殊形状の工具であっても、その工具が嵌合する形状であれば、如何なる形状でもよい。
【００５７】
また、本実施の形態の回転部材７９、８０の外径は、軸線方向の中心部が一番大きく、中心部から両端に近づくにつれて少し細くなり、挿通溝７９ａ、７９ｂ、８０ａ、８０ｂが形成されている両端が一番細く形成されている。このため、回転部材７９、８０を貫通部７６に容易に挿入することができるとともに、光拡散フィルム７４を押圧するときの押圧力を大きくすることができる。なお、光拡散フィルム７４も貫通部７６に挿入されるようになっている。
【００５８】
一方、図３において、遮蔽部材４２の反射部４８によって反射させられたＬＥＤパッケージ４６の照明光は、光拡散フィルム７４を通して原稿Ｐの照射領域Ｗ１に対して左側から照射されるようになっており、カバー部材４３の反射部４７で反射させられた照明光は、光拡散フィルム７４を通して遮蔽部材４２の反射部４９でさらに反射し、若しくは、直接ＬＥＤパッケージ４６から光拡散フィルム７４を通して反射部４９に到達して反射する光も照射領域Ｗ１に対して図３の右側から照射される。
【００５９】
なお、照射領域Ｗ１は、コンタクトガラス７上のある一定範囲である。また、図３において、照射領域Ｗ１に対して右側を走査方向の前側とし、照射領域Ｗ１に対して左側を走査方向の後側とすると、本実施の形態では、上述した反射部４７〜４９から照明作用により、照射領域Ｗ１に対して副走査方向の前後方向から光が略均等に照射されることになり、立体物の原稿や切り貼りされた原稿等も影が出ないようにすることができる。
【００６０】
したがって、カバー部材４３および遮蔽部材４２の形状は、ＬＥＤパッケージ４６から照射される光を照射領域Ｗ１に対して副走査方向に一定の照度分布で導くように設計された折り曲げ形状となっている。
【００６１】
すなわち、本実施の形態の一体型走査光学ユニット４０は、筐体４１に設けられ、発光するＬＥＤユニット４４と、ＬＥＤユニット４４からの光を原稿Ｐの照射領域Ｗ１に照射する反射部４７を有するカバー部材４３と、ＬＥＤユニット４４からの光を原稿Ｐの照射領域Ｗ１に照射する反射部４８、４９を有する遮蔽部材４２とからなる照明手段としての原稿照明部５６を備えたものとなる。
【００６２】
また、遮蔽部材４２は、筐体４１に着脱自在に設けられており、図３に示すように、筐体４１内を、光拡散フィルム７４によって分割され、遮蔽部材４２およびカバー部材４３内にＬＥＤユニット４４および反射部４７、４８が収納された第１の空間５７および反射部４９が収納された第２の空間８１と、第１の空間５７および第２の空間８１の下方に位置し、画像読取部５４が設けられた第３の空間５８とに隔離するようになっている。
【００６３】
すなわち、遮蔽部材４２は、筐体４１内に画像読取部５４が収納された空間としての第３の空間５８が画成されるように原稿照明部５６と画像読取部５４とを隔離している。
【００６４】
この遮蔽部材４２の対向面４２ａは、画像読取部５４の底面を構成するものであり、遮蔽部材４２は、第３の空間５８に原稿Ｐからの反射光以外の照明光が進入しないように第１の空間５７から遮断する（隔離する）機能を有しており、原稿照明部５６の下方を覆うとともに、筐体４１との間で隙間が生じないように筐体４１に取付けられている。
【００６５】
このように本実施の形態では、反射部４７を第１の空間５７に対向するカバー部材４３の対向面４３ｂに設けるとともに、反射部４８、４９を第１の空間５７に対向する遮蔽部材４２の対向面４２ａに設けることで、第３の空間５８と隔離された第１の空間５７および第２の空間８１を画成することができる。
【００６６】
また、遮蔽部材４２には主走査方向に延在するスリット５９が形成されており、このスリット５９は、ＬＥＤユニット４４から遠く離れて位置している（図３中、右方）。また、スリット５９は、反射部４８および反射部４９の間に位置するようにして設けられており、原稿Ｐからの反射光（原稿像の光）を第１の空間５７から第２の空間８１を介して第３の空間５８に導くようになっている。
【００６７】
また、スリット５９は、上下方向に開口しており、開口の高さはＬＥＤパッケージ４６の中心よりも高い位置、すなわち、原稿Ｐに近い位置に設けられている。このため、ＬＥＤパッケージ４６からの照射光を第１の空間５７から第２の空間８１を通して第３の空間５８に進入し難くして、原稿Ｐからの反射光のみを第３の空間５８に導くことができる。
【００６８】
なお、反射部４８、４９を除いたスリット５９の近傍の遮蔽部材４２の表面やスリット５９内の垂直方向の内周側面は、反射率の低い表面処理または、黒色に構成されており、反射部４８、４９を除いた遮蔽部材４２の対向面４２ａで光を反射し難くしている。
【００６９】
また、第３の空間５８に位置する筐体４１には反射ミラー６０ａ〜６０ｅ、結像レンズ６１および撮像素子としてのＣＣＤ（Ｃｈａｒｇｅ Ｃｏｕｐｌｅｄ Ｄｅｖｉｃｅ）６３が設けられており、これら反射ミラー６０ａ〜６０ｅ、結像レンズ６１およびＣＣＤ６３は、読取手段としての画像読取部５４を構成している。
【００７０】
反射ミラー６０ａ〜６０ｅは、ＬＥＤユニット４４から反射部４７〜４９を介して原稿Ｐの照射領域Ｗ１が照射されたときに、照射領域Ｗ１における原稿Ｐのライン上（主走査方向）の反射光Ｌ、すなわち、読取光軸が遮蔽部材４２のスリット５９を介して第３の空間５８に導かれると、反射ミラー６０ａ、６０ｂ、６０ｃ、６０ｄ、６０ｅの順に反射するようになっている。したがって、反射ミラー６０ａ〜６０ｅは、反射光Ｌを結像レンズ６１に導くように筐体４１の所定個所に取付けられている。
【００７１】
この結像レンズ６１は、筐体４１の底部に取付けられており、反射ミラー６０ｅによって反射された光を結像させるようになっている。ＣＣＤ６３は、結像レンズ６１の結像位置に配置されるように筐体４１の副走査方向一側面に取付けられており、原稿Ｐの画像を読み取るようになっている。本実施の形態のＣＣＤ６３は、Ｒ（赤）、Ｇ（緑）、Ｂ（青）の各色毎に設けられており、カラー画像の読み取りを行うことができる。
【００７２】
このＣＣＤ６３は、ＳＢＵ（スキャナボードユニット）６４上に配置されており、このＳＢＵ６４は、筐体４１の副走査方向一側面に取付けられている。このＳＢＵ６４にはＣＣＤ６３の他にＩＣチップやチップコンデンサ等の電子部品が実装されており、ＣＣＤ６３によって読み取られた原稿Ｐの画像を処理し、露光装置３１に送信するようになっている。
【００７３】
次に、作用を説明する。
カラー複写機１によって原稿Ｐの画像を読み取る場合には、駆動手段によって一体型走査光学ユニット４０を副走査方向に移動させながら、ＬＥＤユニット４４から原稿Ｐの照射領域Ｗ１に照射を行う。
【００７４】
ＬＥＤユニット４４のＬＥＤパッケージ４６が出射されると、この出射光の中心光軸が水平方向に指向され、ある角度で広がりながら略水平方向に進行する。
【００７５】
遮蔽部材４２の反射部４８によって反射させられたＬＥＤパッケージ４６の照明光は、光拡散フィルム７４を通して原稿Ｐの照射領域Ｗ１に対して図３の左側から照射されるとともに、カバー部材４３の反射部４７で反射させられた照明光は、光拡散フィルム７４を通して遮蔽部材４２の反射部４９でさらに反射し、若しくは、直接ＬＥＤパッケージ４６から光拡散フィルム７４を通して反射部４９に到達して反射する光も照射領域Ｗ１に対して図３の右側から照射される。
【００７６】
このため、照射領域Ｗ１において照度分布のピーク光量位置と読取領域の中心とが一致され、原稿Ｐの照射領域Ｗ１が一定の照度分布で照射される。この原稿Ｐからの反射光は、読取光軸となって反射ミラー６０ａ〜６０ｅを介して結像レンズ６１に導かれ、結像レンズ６１によってＣＣＤ６３の中心に結像される。
【００７７】
このとき、照度分布のピーク光量位置と読取領域の中心とが一致しているため、Ｒ、Ｇ、Ｂの光量分布のばらつきが発生しないので、ＣＣＤ６３は、鮮明なカラー画像の読み取りを行うことができる。
【００７８】
このように本実施の形態では、ＬＥＤパッケージ４６からの照射光は、光拡散フィルム７４によって拡散されて照射領域Ｗ１に照射されるため、照明リップルを抑制して照度分布を均一にすることができる。
【００７９】
また、本実施の形態では、ＬＥＤパッケージ４６と照射領域Ｗ１の間に光拡散フィルム７４を設けることにより、光を擬似的な大きさにして、０．３ｍｍ程度の微小な複数のＬＥＤチップから照射される微細な光から目を保護することができる。
【００８０】
一方、本実施の形態では、光拡散フィルム７４を光拡散ブラケット７１に取付ける場合には、光拡散ブラケット７１の貫通部７６に光拡散フィルム７４を挿通した後、回転部材７９、８０を貫通部７６に貫通して、貫通面７８および貫通面７７の溝部７７ａに位置決めする。
【００８１】
このとき、回転部材７９、８０が光拡散フィルム７４の主走査方向両端部を溝部７７ａ、７７ｂに押圧する。この状態で光拡散フィルム７４を光拡散ブラケット７１に保持することができるが、光拡散ブラケット７１に回転部材７９、８０を取付けただけでは、光拡散フィルム７４に皺や弛みが発生していることが考えられるため、図９に示すように、回転部材７９の挿通溝７９ａに工具を差し込み、回転部材７９を所定方向である時計回転方向（矢印Ｒ１）に回転させ、回転部材７９と光拡散フィルム７４の摩擦抵抗によって光拡散フィルム７４を主走査方向外方に引っ張ることにより、矢印Ｔで示すように光拡散フィルム７４に張力を与えることで、光拡散フィルム７４の皺や弛みを除去する。
【００８２】
また、光拡散フィルム７４の皺や弛みをより確実に除去する必要がある場合には、図９の姿勢にある光拡散ブラケット７１に対して、回転部材８０を所定方向である反時計回転方向に回転させ、回転部材８０と光拡散フィルム７４の摩擦抵抗によって光拡散フィルム７４を主走査方向外方に引っ張ることにより、光拡散フィルム７４に張力を与えることで、光拡散フィルム７４の皺や弛みを完全に除去することができる。
【００８３】
本実施の形態では、光拡散フィルム７４の皺や弛みが発生するのを防止することができるので、光拡散フィルム７４を光拡散ブラケット７１に保持したときに、光拡散フィルム７４を平面状の貫通面７７に隙間無く当接させて光拡散フィルム７４をＬＥＤユニット４４に対して位置決めすることができる。
【００８４】
次いで、光拡散フィルム７４を保持した光拡散ブラケット７１を遮蔽部材４２の溝７２に嵌合させるとともに、カバー部材４３の段差部７３に嵌合させることで、ＬＥＤユニット４４に対する光拡散フィルム７４の位置や傾き等の位置決めを行い、光拡散フィルム７４を遮蔽部材４２およびカバー部材４３に取付ける。この結果、安価な光拡散フィルム７４を用いてＬＥＤパッケージ４６から照射された光の照度分布を均一にすることができる。
【００８５】
なお、本実施の形態では、光拡散ブラケット７１を遮蔽部材４２およびカバー部材４３と別体に設け、遮蔽部材４２およびカバー部材４３に着脱自在にしているが、回転部材７９、８０を有する光拡散ブラケット７１と同一形状の光拡散フィルム保持部を遮蔽部材４２またはカバー部材４３のいずれか一方と一体的に設けてもよい。但し、いずれの場合であっても、貫通部７６が段差部７３に覆われないようにして貫通部７６を露出させる必要がある。
【００８６】
このようにすれば、貫通部７６に光拡散フィルム７４および回転部材７９、８０を着脱自在にすることができるとともに、挿通溝７９ａ、８０ａまたは挿通溝７９ｂ、８０ｂに工具を差し込むことができる。なお、挿通溝７９ｂ、８０ｂに工具を差し込む状況が発生するのは、光拡散ブラケット７１の上下方向を逆方向にして光拡散ブラケット７１を遮蔽部材４２またはカバー部材４３と一体化した場合である。
【００８７】
（第２の実施の形態）
図１０〜図１３は、本発明に係る原稿照明装置、画像読取装置および画像形成装置の第２の実施の形態を示す図であり、第１の実施の形態と同様の構成には同一番号を付して説明を省略する。
【００８８】
図１０において、本実施の形態の回転部材は、第１の実施の形態と同様に２本設けられているが、いずれも同一の構成である。回転部材９１は、略円筒形状をしており、軸線方向に沿って複数の溝９１ａが形成され、溝９１ａを挟んで曲面状の外周面９１ｂを有している。すなわち、外周面９１ｂは、溝９１ａが形成されていない部分である。また、回転部材９１の軸方向両端には挿通溝９１ｃが形成されている。
【００８９】
本実施の形態では、このように回転部材９１が、略円筒形状を有し、軸線方向に沿って延在する複数の溝９１ａを有するので、光拡散フィルム７４に溝９１ａが形成されていない回転部材９１の外周面９１ｂのみを接触させることができ、光拡散フィルム７４と溝９１ａが形成されていない回転部材９１の外周面９１ｂの圧力を高め、光拡散フィルム７４に対する回転部材９１の摩擦抵抗を大きくすることができる。このため、図１１に示すように、挿通溝９１ｃに工具を差し込んで回転部材９１を矢印Ｒ１で示すように時計回転方向に回転させることにより、光拡散フィルム７４を主走査方向外側に確実に引っ張ることができ、矢印Ｔで示すように光拡散フィルム７４に張力を与えて光拡散フィルム７４に皺や弛みが発生するのを防止することができる。なお、図１１に図示しない他方の回転部材９１の回転方向は反時計回転方向である。
【００９０】
また、本実施の形態では、図１２、図１３に示すように回転部材９１の外周面９１ｂ上にゴムシートあるはポリマーシート等からなる弾性部材９２を設けてもよい。なお、この弾性部材９２は、異質材料を一体形成する公知の二色成型によって回転部材９１の表面に形成されている。
【００９１】
このように回転部材９１の溝９１ａが形成されていない外周面９１ｂに弾性部材９２を設けた場合には、弾性部材９２の弾性力によって光拡散フィルム７４を押圧して光拡散フィルム７４と回転部材９１の外周面９１ｂの圧力をより一層高めることができ、光拡散フィルム７４に対する回転部材９１の摩擦抵抗を大きくすることができる。このため、図１３に示すように、回転部材９１を矢印Ｒ１方向に回転させることにより、光拡散フィルム７４を主走査方向外側に確実に引っ張ることができ、矢印Ｔで示すように光拡散フィルム７４に張力を与えて光拡散フィルム７４に皺や弛みが発生するのを防止することができる。
【００９２】
（第３の実施の形態）
図１４〜図１７は、本発明に係る原稿照明装置、画像読取装置および画像形成装置の第３の実施の形態を示す図であり、第１の実施の形態と同様の構成には同一番号を付して説明を省略する。
【００９３】
図１４において、本実施の形態の回転部材は、第１の実施の形態と同様に２本設けられているが、いずれも同一の構成である。回転部材１０１は、略円筒形状をしており、軸線方向に沿って複数の突起１０１ａが形成されている。また、回転部材１０１の軸方向両端には挿通溝１０１ｂが形成されている。
【００９４】
本実施の形態では、このように回転部材１０１が、略円筒形状を有し、軸線方向に沿って延在する複数の突起１０１ａを有するので、光拡散フィルム７４に回転部材１０１の突起１０１ａのみを接触させることができ、光拡散フィルム７４と突起１０１ａの圧力を高め、光拡散フィルム７４に対する回転部材１０１の摩擦抵抗を大きくすることができる。
このため、図１５に示すように、挿通溝１０１ｂに工具を差し込んで回転部材１０１を矢印Ｒ１で示す時計回転方向に回転させることにより、光拡散フィルム７４を主走査方向外側に確実に引っ張ることができ、矢印Ｔ１で示すように光拡散フィルム７４に張力を与えて光拡散フィルム７４に皺や弛みが発生するのを防止することができる。
【００９５】
なお、本実施の形態では、図１６、図１７に示すように回転部材１０１の突起１０２を、ゴムシートあるいはポリマーシート等からなる弾性部材から構成してもよい。なお、この弾性部材からなる突起１０２は、異質材料を一体形成する公知の二色成型によって回転部材１０１の表面に形成されている。
【００９６】
このように回転部材１０１の突起１０２を弾性部材から構成した場合には、突起１０２の弾性力によって光拡散フィルム７４を押圧して光拡散フィルム７４と回転部材１０１の突起１０２の圧力をより一層高めることができ、光拡散フィルム７４に対する回転部材１０１の摩擦抵抗を大きくすることができる。
このため、図１７に示すように、挿通溝１０１ｂに工具を差し込んで回転部材１０１を矢印Ｒ１に示す時計回転方向に回転させることにより、光拡散フィルム７４を主走査方向外側に確実に引っ張ることができ、矢印Ｔで示すように光拡散フィルム７４に張力を与えて光拡散フィルム７４に皺や弛みが発生するのを防止することができる。
【００９７】
（第４の実施の形態）
図１８は、本発明に係る原稿照明装置、画像読取装置および画像形成装置の第４の実施の形態を示す図であり、本実施の形態では、原稿照明装置を除いた画像読取装置の構成が第１の実施の形態と異なるのみであり、第１の実施の形態と同一の構成には同一番号を付して説明を省略する。
【００９８】
図１８において、画像読取装置４は、筐体４ａ内に、走査光学ユニットを構成し、矢印Ｂで示すように副走査方向に一定の速度で移動する第１の走行体１１１と、矢印Ｂで示す副走査方向に第１の走行体１１１の半分の速度で走行する第２の走行体１１６と、筐体４ａに固定された結像レンズ１１７と、筐体４ａに固定されたＣＣＤ１１８とを備えている。
【００９９】
第１の走行体１１１は、筐体１１２に第１の実施の形態と同様の構成を有する原稿照明装置としての原稿照明部５６が着脱自在に設けられており、遮蔽部材４２が、筐体１１２内を、光拡散フィルム７４によって分割され、遮蔽部材４２およびカバー部材４３内にＬＥＤユニット４４および反射部４７、４８が収納された第１の空間および反射部４９が収納された第２の空間と、第１の空間および第２の空間の下方に位置し、画像読取部５４が設けられた第３の空間とに隔離するようになっている。
【０１００】
そして、原稿Ｐからの反射光がスリット５９を通して第１の空間から第２の空間に導かれ、反射ミラー１１３で結像光が反射されるようになっている。また、第２の走行体１１６内には、反射ミラー１１４、１１５が取付けられており、この反射ミラー１１４、１１５は、反射ミラー１１３から反射された光を結像レンズ１１７に反射するようになっている。
【０１０１】
結像レンズ１１７は、反射ミラー１１５から反射された光を撮像素子としてのＣＣＤ１１８に結像するようになっている。ＣＣＤ１１８は、結像位置に設けられており、結像レンズ１１７によって結像された光を読み取るようになっている。本実施の形態では、反射ミラー１１３〜１１５、結像レンズ１１７およびＣＣＤ１１８が読取手段を構成している。
【０１０２】
本実施の形態では、第１の実施の形態と同一の光拡散ブラケット７１を有する光拡散フィルム保持部（図６〜図９参照）を備えているので、光拡散フィルム７４の皺や弛みが発生するのを防止することができるので、光拡散フィルム７４を光拡散ブラケット７１に保持したときに、光拡散フィルム７４を平面状の貫通面７７に隙間無く当接させて光拡散フィルム７４をＬＥＤユニット４４に対して位置決めすることができ、安価な光拡散フィルム７４を用いてＬＥＤパッケージ４６から照射された光の照度分布を均一にすることができる。
【産業上の利用可能性】
【０１０３】
以上のように、本発明に係る原稿照明装置、画像読取装置および画像形成装置は、安価な光拡散フィルムの波打ちが発生するのを確実に防止して照度分布を均一にすることができるという効果を有し、複写機、ファクシミリ装置、イメージスキャナ等に使用される画像読取装置およびこの画像読取装置を備えた画像形成装置等として有用である。
【符号の説明】
【０１０４】
１  カラー複写機（画像形成装置）
４  画像読取装置
５  画像形成部（画像形成手段）
４０  一体型走査光学ユニット（原稿照明装置）
４１  筐体
４２  遮蔽部材（保持部材）
４３  カバー部材（保持部材）
４４  ＬＥＤユニット（光源）
４７、４８、４９  反射部
５４  画像読取部（読取手段）
５６  原稿照明部（照明手段）
７１  光拡散ブラケット（光拡散フィルム保持部）
７４  光拡散フィルム
７７ａ、７７ｂ  溝部（回転部材保持部）
７８  貫通面（回転部材保持部）
７９、８０  回転部材（光拡散フィルム保持部）
９１  回転部材（光拡散フィルム保持部）
９１ａ  溝
９１ｂ  外周面
９２  弾性部材
１０１  回転部材（光拡散フィルム保持部）
１０１ａ  突起
１０２  突起
Ｐ  原稿
Ｗ１  照射領域
【先行技術文献】
【特許文献】
【０１０５】
【特許文献１】特開平５−８８５２０号公報
【特許文献２】特開平１１−１８４３６２号公報
【特許文献３】特開２００７−３１８４０９号公報
【図１】
2010191180.tif 000003
【図２】
2010191180.tif 000004
【図３】
2010191180.tif 000005
【図４】
2010191180.tif 000006
【図５】
2010191180.tif 000007
【図６】
2010191180.tif 000008
【図７】
2010191180.tif 000009
【図８】
2010191180.tif 000010
【図９】
2010191180.tif 000011
【図１０】
2010191180.tif 000012
【図１１】
2010191180.tif 000013
【図１２】
2010191180.tif 000014
【図１３】
2010191180.tif 000015
【図１４】
2010191180.tif 000016
【図１５】
2010191180.tif 000017
【図１６】
2010191180.tif 000018
【図１７】
2010191180.tif 000019
【図１８】
2010191180.tif 000020